(57)【要約】【課題】枠体に高い防火性能をもたせることで、火災時における障子の脱落を抑制することができる建具を提供する。【解決手段】上枠１１には、下側に向けて突出する突出部５０が設けられ、突出部５０は、屋内外方向に間隔をあけて配置された一対の突出枠壁部５１と、一対の突出枠壁部５１同士を連結する連結枠壁部５２と、を有し、突出部５０には、連結枠壁部５２に対して上側に位置するレールホロー部Ｓ２に設けられたアルミ製のレール芯材１２０を備え、上枠１１の上枠ホロー部Ｓ１には、上枠１１の長さ方向に延びるアルミ製の上枠芯材１１０が設けられ、上枠芯材１１０及びレール芯材１２０が取付ネジ１３６によって連結固定され、上枠芯材１１０及びレール芯材１２０によって上枠１１における屋内外方向を遮断する壁体を構成していることを特徴とする建具。【選択図】図４
2019065493.tif 000002
【特許請求の範囲】
【請求項１】
上枠、下枠および左右の縦枠を枠組みして構成される枠体と、前記枠体内にスライド可能に配置される障子と、を備える建具であって、
前記枠体には、前記障子側に向けて突出する突出部が前記枠体の長手方向に沿って設けられ、
前記枠体の内部には、前記枠体の長手方向に延びる金属製の枠芯材が設けられ、
前記突出部の内部には、前記突出部の長手方向に延びる金属製の突出部芯材が設けられ、
前記枠芯材及び前記突出部芯材が連結手段によって連結固定されていることを特徴とする建具。
【請求項２】
前記枠芯材及び前記突出部芯材が連続的に配置される壁状構造を構成し、該壁状構造を挟んだ屋外側空間と屋内側空間とが前記壁状構造によって分断されている請求項１に記載の建具。
【請求項３】
前記突出部は、屋内外方向に間隔をあけて配置された一対の突出枠壁部と、該一対の突出枠壁部同士を連結する連結枠壁部と、を有し、
前記突出部には、前記連結枠壁部に対して前記内側に位置する突出部支持溝に設けられ上下方向又は左右方向に延在する金属製の突出部補強部材が設けられ、
前記枠芯材、前記突出部芯材、及び前記突出部補強部材は前記連結手段によって連結固定され、
前記枠芯材、前記突出部芯材、及び前記突出部補強部材が連続的に配置される壁状構造を構成し、該壁状構造を挟んだ屋外側空間と屋内側空間とが前記壁状構造によって分断されている請求項１又は２に記載の建具。
【請求項４】
前記障子が外障子と内障子とで構成され、
前記枠体には、前記外障子用の突出部及び前記内障子用の突出部が設けられ、
前記枠芯材は、少なくとも前記外障子用の突出部の内部に設けられた前記突出部芯材と前記連結手段によって連結固定されている請求項１乃至３のいずれか１項に記載の建具。
【請求項５】
前記枠芯材の屋外側及び屋内側の少なくとも一方の側面には、加熱発泡材が設けられている請求項１乃至４のいずれか１項に記載の建具。
【発明の詳細な説明】
【技術分野】
【０００１】
本発明は、建具に関するものである。
【背景技術】
【０００２】
従来から、樹脂で障子枠や框が形成された樹脂サッシは、断熱性が高く、北海道等の寒冷地で使用されている（例えば、下記の特許文献１参照）。
【先行技術文献】
【特許文献】
【０００３】
【特許文献１】特開２０１６−４４５１９号公報
【発明の概要】
【発明が解決しようとする課題】
【０００４】
しかしながら、上記の特許文献１に記載されたような樹脂サッシは、火災時に高温に晒されると、樹脂部材で形成された枠体が溶融し、枠体内に配された芯材同士を連結していた樹脂部分がなくなり、樹脂形材のホロー部を構成する壁が切断されて枠体が崩れ、障子が脱落してしまう虞がある。
【０００５】
そこで、本発明は、上記事情に鑑みてなされたものであり、枠体に高い防火性能をもたせることで、火災時における障子の脱落を抑制することができる建具を提供する。
【課題を解決するための手段】
【０００６】
上記目的を達成するために、本発明は以下の手段を採用している。
すなわち、本発明に係る建具は、上枠、下枠および左右の縦枠を枠組みして構成される枠体と、前記枠体内にスライド可能に配置される障子と、を備える建具であって、前記枠体には、前記障子側に向けて突出する突出部が前記枠体の長手方向に沿って設けられ、  前記枠体の内部には、前記枠体の長手方向に延びる金属製の枠芯材が設けられ、前記突出部の内部には、前記突出部の長手方向に延びる金属製の突出部芯材が設けられ、前記枠芯材及び前記突出部芯材が連結手段によって連結固定されていることを特徴としている。
【０００７】
このように構成された建具では、枠体において、枠芯材、及びレール芯材が連結手段によって連結固定され、枠芯材、及びレール芯材によって枠体における屋内外方向を遮断する壁体が構成されているので、その壁体によって火災時における屋内と屋外との火の貫通を防ぐことができ、防火性能を高めることができる。そのため、本発明の建具では、障子が屋外側に倒れたり、枠体で障子を支えられなくなって脱落することが抑制される。
【０００８】
また、本発明に係る建具では、前記枠芯材及び前記突出部芯材が連続的に配置される壁状構造を構成し、該壁状構造を挟んだ屋外側空間と屋内側空間とが前記壁状構造によって分断されていることが好ましい。
【０００９】
このように構成された建具では、枠芯材及び突出部芯材により連続的な壁状構造が形成されるので、壁状構造が配置される空間を屋内外方向に確実に分断することができ、屋内外方向に移動しようとする火炎の通り道を遮断することができる。
【００１０】
また、本発明に係る建具では、前記突出部は、屋内外方向に間隔をあけて配置された一対の突出枠壁部と、該一対の突出枠壁部同士を連結する連結枠壁部と、を有し、前記突出部には、前記連結枠壁部に対して前記内側に位置する突出部支持溝に設けられ上下方向又は左右方向に延在する金属製の突出部補強部材が設けられ、前記枠芯材、前記突出部芯材、及び前記突出部補強部材は前記連結手段によって連結固定され、前記枠芯材、前記突出部芯材、及び前記突出部補強部材が連続的に配置される壁状構造を構成し、該壁状構造を挟んだ屋外側空間と屋内側空間とが前記壁状構造によって分断されていることが好ましい。
【００１１】
このように構成された建具では、枠芯材及びレール芯材とともにレール補強部材も連結手段により連結固定された壁体を構成しているので、枠体における屋内外方向を遮断する防火性能をより高めることができる。
【００１２】
また、本発明に係る建具では、前記障子が外障子と内障子とで構成され、前記枠体には、前記外障子用の突出部及び前記内障子用の突出部が設けられ、前記枠芯材は、少なくとも前記外障子用の突出部の内部に設けられた前記突出部芯材と前記連結手段によって連結固定されていることが好ましい。
【００１３】
このように構成された建具では、屋外で発生した火災を外障子用に形成される枠芯材とレール芯材とからなる壁体で効率よく遮断することができる。
【００１４】
また、本発明に係る建具では、前記枠芯材の屋外側及び屋内側の少なくとも一方の側面には、加熱発泡材が設けられていることが好ましい。
【００１５】
このように構成された建具では、枠芯材の屋外側及び屋内側の少なくとも一方の側面に設けられた加熱発泡材が発泡することにより、屋内側への熱の伝達を遅らせ、樹脂部分の温度上昇時間を遅くすることができる。そして、枠体が溶融する時間を延ばすことができ、障子が脱落することが抑制される。
【発明の効果】
【００１６】
本発明に係る建具によれば、枠体に高い防火性能をもたせることで、火災時における障子の脱落を抑制することができる。
【図面の簡単な説明】
【００１７】
【図１】本発明の一実施形態に係る引き違い窓を屋内側から見た正面図である。
【図２】図１のＡ−Ａ線断面図である。
【図３】図１のＢ−Ｂ線断面図である。
【図４】図２の要部拡大図である。
【発明を実施するための形態】
【００１８】
以下、本発明の一実施形態による建築物の開口部に設けられる建具の一例として、引き違い窓を図１から図４に基づいて説明する。
図１から図３に示すように、引き違い窓（建具）１００は、建築物の開口部に設けられ、四角形枠状に形成された枠体１と、枠体１に対して左右方向にスライド可能に設けられた一対の障子２と、を備えている。
【００１９】
以下の説明において、屋外側と屋内側とを結ぶ方向を屋内外方向とし、建築物の開口部が壁部を貫通する方向（壁部に対向する方向）から見た際の左側と右側を結ぶ水平方向を左右方向とする。また、引き違い窓１００を構成する各部材や部品などは、前記開口部に設けられている姿勢であるものとして、その姿勢における屋内外方向および左右方向を用いて説明する。
【００２０】
枠体１は、左右方向に延在する上枠１１及び下枠１２と、上枠１１の両端部と下枠１２の両端部とをそれぞれ連結し上下方向に延在する縦枠１３と、を有している。本実施形態では、枠体１は、合成樹脂製の押出成形部材で構成されている。上枠１１、下枠１２及び縦枠１３は、両端部が斜め４５°に切断されて、互いの切断面が突き付けられて溶着されて枠体１が構成されている。
【００２１】
一対の障子２は、枠体１の屋外側及び屋内側にそれぞれ設けられている。一対の障子２は、障子２が閉じた状態で、枠体１内を閉塞するように配置されている。障子２は、四方枠状に形成された框体２０と、框体２０内に納められた複層ガラス３０と、を有している。
【００２２】
框体２０は、左右方向に延在する上框２１及び下框２２と、上框２１の両端部と下框２２の両端部とをそれぞれ連結し上下方向に延在する戸先框２３及び召合せ框２４（なお、上框２１、下框２２、戸先框２３及び召合せ框２４のそれぞれを単に「框」と称することがある。）と、を有している。本実施形態では、框体２０は、合成樹脂製の押出成形部材で構成されている。上框２１、下框２２、戸先框２３及び召合せ框２４は、両端部が斜め４５°に切断されて、互いの切断面が突き付けられて溶着されて框体２０が構成されている。下框２２には、下枠１２に沿って左右方向に走行可能な戸車２５（図示省略）が設けられている。
【００２３】
各框２１〜２４には、それぞれ断面略コの字状のガラス保持溝Ｇ２（図３参照）が形成されている。複層ガラス３０の四辺の端部は、ガラス保持溝Ｇ２内に嵌め込まれている。複層ガラス３０の周縁部において、屋内側の面は、框に係止された押縁３６で押さえられている（図３参照）。また、複層ガラス３０の周縁部において、屋外側の面と框との間には、ガラスパッキン３７が嵌め込まれている。
【００２４】
次に、上框２１について図４を用いて具体的に説明する。
上框２１は、左右方向に沿って配置され屋外側に配置される外框壁部６６が屋外側の面をなし、左右方向に沿って配置され屋内側に配置される内框壁部６９により屋内側の面をなしている。
【００２５】
外框壁部６６と内框壁部６９との間において、中空状に形成され、左右方向に延びる框ホロー部Ｓ１１が形成されている。框ホロー部Ｓ１１は、屋外側框壁部６１と、屋内側框壁部６２と、上連結壁部６３と、下連結壁部６４と、により形成されている。
【００２６】
屋外側框壁部６１は、左右方向に沿って配置されている。屋内側框壁部６２は、左右方向に沿って配置され、屋外側框壁部６１よりも屋内側に配置されている。上連結壁部６３及び下連結壁部６４は、屋外側框壁部６１と屋内側框壁部６２とを連結するように屋内外方向に延在している。また、上連結壁部６３及び下連結壁部６４は、左右方向の略全長に沿って形成されている。
【００２７】
下連結壁部６４の下側に沿って、ガラス保持溝Ｇ２が形成されている。換言すると、下連結壁部６４では、下側を向く面に沿ってガラス保持溝Ｇ２が形成されるとともに、上側を向く面に沿って框ホロー部Ｓ１１が形成されている。
【００２８】
框ホロー部Ｓ１１には、第一框芯材１５０が設けられている。第一框芯材１５０は、上框２１の延在方向（左右方向）にわたって長尺状に形成されている。
第一框芯材１５０は、縦断面略コ字状をなし、屋内側に向かって開口するように配置されている。第一框芯材１５０は、スチール等の金属により構成されている。第一框芯材１５０は、上面部１５１と、側面部１５２、下面部１５３と、を有する。
【００２９】
側面部１５２は、屋外側框壁部６１の面に当接するように配置されている。上面部１５１及び下面部１５３は、側面部１５２の上下端からそれぞれ屋内外方向で屋内側に向かって延びている。
【００３０】
上連結壁部６３における上側を向く面に沿って、レール溝Ｇ３が形成されている。レール溝Ｇ３は、上框２１の延在方向（左右方向）にわたって形成されている。レール溝Ｇ３は、上連結壁部６３と、屋外側框壁部６１の上方部分と、屋内側框壁部６２の上方部分と、により下側に凹むように形成されている。
【００３１】
レール溝Ｇ３には、スチール等の金属により構成された第二框芯材１６０が設けられている。第二框芯材１６０は、上框２１の延在方向（左右方向）にわたって長尺状に形成されている。第二框芯材１６０は、縦断面略コ字状をなし、上方に向かって開口するように配置されている。第二框芯材１６０は、スチール等の金属により構成されている。第二框芯材１６０は、下面部１６１と、側面部１６２、１６３と、を有する。第二框芯材１６０は、第一框芯材１５０よりも薄板の鋼板で形成されている。
【００３２】
第二框芯材１６０の下面部１６１の上側を向く面には、第一加熱発泡材Ｆ１が設けられている。第一加熱発泡材Ｆ１は、長尺状に形成され、その長手方向を左右方向に向けるとともに、厚さ方向（発泡する方向）を上下方向に向けて配置されている。
第一加熱発泡材Ｆ１、第二框芯材１６０の下面部１６１、上連結壁部６３には、ねじ１６６が上方から挿通され、第一框芯材１５０の上面部１５１に螺合されている。
【００３３】
次に、上記の引き違い窓１００の主に上枠１１について説明する。
図４に示すように、上枠１１には、中空状に形成され、左右方向に延びる上枠ホロー部Ｓ１が形成されている。上枠ホロー部Ｓ１は、上枠壁部４２と、下枠壁部４１と、屋外側区画枠壁部４３と、屋内側区画枠壁部４４とにより形成されている。
【００３４】
上枠壁部４２は、左右方向に沿って配置され、屋内外方向に延在している。下枠壁部４１は、左右方向に配置され、上枠壁部４２から下側に間隔をあけて配置されている。屋外側区画枠壁部４３は、上枠壁部４２と下枠壁部４１とを連結するように配置されている。屋外側区画枠壁部４３は、左右方向に沿って配置されている。屋内側区画枠壁部４４は、上枠壁部４２と下枠壁部４１とを連結するように配置されている。屋内側区画枠壁部４４は、左右方向に沿って配置され、屋外側区画枠壁部４３よりも屋内側に配置されている。
【００３５】
上枠ホロー部Ｓ１内には、アルミ製の金属から構成される上枠芯材１１０が設けられている。上枠芯材１１０は、縦断面略矩形部を有し、上枠１１の延在方向（左右方向）にわたって配置されている。上枠芯材１１０の屋内外方向の両側には、それぞれ屋外側及び屋内側に延びる延出面部１１１が設けられている。
【００３６】
上枠１１には、上枠ホロー部Ｓ１よりも下側に、一対の障子２のそれぞれの上框２１に係合する突出部５０が設けられている。すなわち、上枠壁部４２における上枠ホロー部Ｓ１の屋内外方向の両側の位置、さらに具体的には上枠芯材１１０の延出面部１１１に屋内外方向に重なる位置に突出部５０が設けられている。そして、上枠芯材１１０の屋外側及び屋内側の側面には、第二加熱発泡材Ｆ２が設けられている。上枠芯材１１０の下面には、第三加熱発泡材Ｆ３が設けられている。
【００３７】
突出部５０は、屋内外方向に間隔をあけて互いに平行に配置された一対の突出枠壁部５１、５１と、これら一対の突出枠壁部５１、５１同士を連結する連結枠壁部５２と、を有している。突出枠壁部５１は、下枠壁部４１から下側に延びている。
【００３８】
下枠壁部４１と、一対の突出枠壁部５１、５１と、連結枠壁部５２とにより、レールホロー部Ｓ２が形成されている。
【００３９】
レールホロー部Ｓ２には、レール芯材１２０が設けられている。レール芯材１２０は、縦リブ１２１と、縦リブ１２１の上下端から水平方向に突出する上リブ１２２及び下リブ１２３と、を有し、縦断面略コ字状をなし、屋内側に向かって開口するように配置されている。レール芯材１２０は、上枠１１の延在方向（左右方向）にわたって配置されている。レール芯材１２０は、スチール等の金属により構成されている。
【００４０】
上リブ１２２及び下リブ１２３には、それぞれの端部から上下方向で互いに近接する方向に突出するガイド部１２４Ａ、１２４Ｂが設けられている。
【００４１】
一対の突出枠壁部５１の下端部と連結枠壁部５２とにより、下方に開口したアタッチメント支持溝Ｇ１が形成されている。一対の突出枠壁部５１には、互いに近接する方向に向けて突出する係止片５１ａが設けられている。
【００４２】
アタッチメント支持溝Ｇ１には、レールアタッチメント（レール補強部材）１３０が設けられている。レールアタッチメント１３０は、上枠１１の延在方向（左右方向）にわたって配置されている。レールアタッチメント１３０は、スチール等の金属により構成されている。
【００４３】
レールアタッチメント１３０は、基部１３１と、一対の上側突出片１３２と、一対の下側突出片１３３と、を有している。基部１３１は、屋内外方向に沿って配置されている。各上側突出片１３２は、基部１３１の屋内外方向の両端部から上側に向かって延びている。各下側突出片１３３は、基部１３１の屋内外方向の両端部から下側に向かって延びている。
【００４４】
アタッチメント支持溝Ｇ１の係止片５１ａ，５１ａは、レールアタッチメント１３０の上側突出片１３２と内下側突出片１３３とにより挟み込まれている。これにより、レールアタッチメント１３０は、アタッチメント支持溝Ｇ１に係止して取り付けられている。
【００４５】
また、突出部５０の連結枠壁部５２、レール芯材１２０、上枠１１の下枠壁部４１には、取付ネジ(ねじ部材)１３６が下方から挿通されて、上枠芯材１１０の延出面部１１１に螺合されている。このようにして、金属製のレール芯材１２０、金属製の上枠芯材１１０が連結され、固定されている。
【００４６】
次に、本実施形態による引き違い窓１００の作用について説明する。
図４に示すように、本実施形態による引き違い窓１００において、上枠１１の上枠芯材１１０、及びレール芯材１２０がねじ部材１３６によって連結固定され、上枠芯材１１０、及びレール芯材１２０によって上枠１１における屋内外方向を遮断する壁体が構成されているので、その壁体によって火災時における屋内と屋外との火の貫通を防ぐことができ、防火性能を高めることができる。
そのため、本実施形態では、障子２が屋外側に倒れたり、上枠１１で障子２を支えられなくなって脱落することが抑制される。
【００４７】
また、本実施形態では、上枠芯材１１０及びレール芯材１２０とともにレールアタッチメント１３０もねじ部材１３６により連結固定された壁体を構成しているので、上枠１１における屋内外方向を遮断する防火性能をより高めることができる。
【００４８】
さらに、本実施形態では、外障子用の突出部５０及び内障子用の突出部５０が設けられ、上枠芯材１１０は、これら外障子用の突出部５０及び内障子用の突出部５０のレールホロー部Ｓ２に設けられたレール芯材１２０に対して取付ネジ１３６によって連結固定されている。そのため、屋外で発生した火災を外障子用に形成される上枠芯材１１０とレール芯材１２０とからなる壁体で効率よく遮断することができる。
【００４９】
また、本実施形態では、上枠芯材１１０の屋外側と屋内側の側面には、第二加熱発泡材Ｆ２が設けられていることで、上枠芯材１１０に火災時の熱が伝わることを抑制できる。また、この第二加熱発泡材Ｆ２が発泡することにより、上枠芯材１１０の屋外側に第二加熱発泡材Ｆ２を設けている場合は屋内側への熱の伝達を遅らせ、また上枠芯材１１０の屋内側に第二加熱発泡材Ｆ２を設けている場合は屋外側への熱の伝達を遅らせ、樹脂部分の温度上昇時間を遅くすることができる。そして、上枠１１が溶融する時間を延ばすことができ、障子２が脱落することが抑制される。
さらに、上枠芯材１１０と上枠１１の下枠壁部４１との間には、第３加熱発泡材Ｆ３が設けられていることで、上枠芯材１１０に火災時の熱が伝わることを抑制できる。
【００５０】
このように本実施の形態では、上枠芯材１１０がスチールよりも融点が低い材料となるアルミ製であるため、芯材を火災時の熱から保護するため、上述したように上枠芯材１１０の屋内外の面及び下面に加熱発泡材Ｆ２、Ｆ３を設けて芯材への熱の伝達を遅くしている。なお、芯材がスチール製であっても加熱発泡材を配置すると同様の効果を得ることができる。
【００５１】
以上、本発明による建具の実施形態について説明したが、本発明は上記の実施形態に限定されるものではなく、その趣旨を逸脱しない範囲で適宜変更可能である。
【００５２】
例えば、上記に示す実施形態において、上枠芯材１１０、レール芯材１２０、及びレールアタッチメント１３０が取付ネジ１３６によって連結固定されて壁体を構成しているが、この３つの構成（上枠芯材１１０、レール芯材１２０、及びレールアタッチメント１３０）であることに限定されず、レールアタッチメント１３０を連結せずに、上枠芯材１１０とレール芯材１２０によって壁体を構成するものであってもよい。
また、連結手段として取付ネジ１３６を採用しているが、ピンやボルト等の他の連結手段であってもかまわない。
【００５３】
また、本実施形態では、上枠芯材１１０の屋外側及び屋内側の側面に第二加熱発泡材Ｆ２を設けているが、屋内側の第二加熱発泡材Ｆ２を省略することも可能である。さらに、上枠芯材１１０の下面側に設けられている第三加熱発泡材Ｆ３を省略してもよい。
【００５４】
また、本実施の形態では、外障子用の突出部５０及び内障子用の突出部５０が設けられ、上枠芯材１１０は、これら外障子用の突出部５０及び内障子用の突出部５０のレールホロー部Ｓ２に設けられたレール芯材１２０に対して取付ネジ１３６によって連結固定されているが、これに限定されることはない。すなわち、上枠芯材１１０は、屋外側の外障子用のレール芯材１２０のみ又は屋内側の内障子用のレール芯材１２０のみに連結固定されていてもよい。
【００５５】
なお、上述した実施形態では、上枠１１の場合で説明したが、縦枠１３や下枠１２も同じ構成であってもよい。
【００５６】
さらにまた、本実施形態では、レール芯材１２０が縦リブ１２１と、縦リブ１２１の上下端から水平方向に突出する上リブ１２２及び下リブ１２３と、を有する縦断面略コの字形状の構成としているが、これに限定されず、例えば縦断面矩形状のレール芯材を採用することも可能である。
【００５７】
また、上記に示す実施形態では、枠体１及び框体２０は樹脂製であるが、本発明はこれに限られない。枠体１及び框体２０のうち少なくとも屋内外の一方側に、アルミニウム等の金属部材が設けられていてもよい。
【００５８】
さらに、本発明の枠体や框体は、内部空間が形成された押出成形部材からなる。そして、枠体及び框体の内部空間は、枠体及び框体の長手方向に沿って連続している。
【００５９】
さらにまた、框の内部空間に単体で挿入した加熱発泡材については、框の長手方向の略全長に配置されている。なお、框の溶着面付近には加熱発泡材を配置できないため、框の長手方向の両端には加熱発泡材のない部分が設けられていてもよい。
【００６０】
その他、本発明の趣旨を逸脱しない範囲で、上記した実施形態における構成要素を周知の構成要素に置き換えることは適宜可能である。
【符号の説明】
【００６１】
１…枠体
２…障子
１１…上枠
１２…下枠
１３…縦枠
２０…框体
２１…上框
２２…下框
２３…戸先框
２４…召合せ框
３０…複層ガラス
５０…突出部
６１…屋外側框壁部
６２…屋内側框壁部
６３…上連結壁部
６４…下連結壁部
１００…引き違い窓（建具）
１１０…上枠芯材
１２０…レール芯材（突出部芯材）
１３０…レールアタッチメント（突出部補強部材）
１３６…取付ネジ（連結手段）
１５０…第一框芯材
１６０…第二框芯材
Ｆ１…第一加熱発泡材
Ｆ２…第二加熱発泡材
Ｇ１…アタッチメント支持溝（突出部支持溝）
Ｇ２…ガラス保持溝
Ｇ３…レール溝
Ｓ１…上枠ホロー部
Ｓ２…レールホロー部（突出部ホロー部）
【図１】
2019065493.tif 000003
【図２】
2019065493.tif 000004
【図３】
2019065493.tif 000005
【図４】
2019065493.tif 000006